(57)【要約】【課題】ユーザの喫食を新規な手法で検出する。【解決手段】喫食判定システムは、食事用具と、加速度センサと、タッチセンサと、喫食判定部と、を備える。食事用具は、棒状の把持部と、把持部の一端に配置された先端部と、を備える。加速度センサは、食事用具の加速度を検出する。タッチセンサは、先端部に対する接触を検出する。喫食判定部は、加速度センサの測定結果及びタッチセンサの測定結果に基づき、食事用具を用いてユーザが喫食したか否かを判定する。【選択図】図６
2020137927.tif 000002
【特許請求の範囲】
【請求項１】
棒状の把持部と、前記把持部の一端に配置された先端部と、を備える食事用具と、
前記食事用具の加速度を検出する加速度センサと、
前記先端部に対する接触を検出するタッチセンサと、
前記加速度センサの測定結果及び前記タッチセンサの測定結果に基づき、前記食事用具を用いてユーザが喫食したか否かを判定する喫食判定部と、
を備える喫食判定システム。
【請求項２】
請求項１に記載の喫食判定システムであって、
前記喫食判定部によりユーザが喫食したと判定された場合に、コンテンツを出力可能なコンテンツ出力部にコンテンツを出力させる出力処理部を更に備える喫食判定システム。
【請求項３】
請求項２に記載の喫食判定システムであって、
前記出力処理部は、前記食事用具に設けられた前記コンテンツ出力部にコンテンツを出力させる、喫食判定システム。
【請求項４】
請求項２又は請求項３に記載の喫食判定システムであって、
前記食事用具は、情報機器と通信するための通信部を更に備え、
前記出力処理部は、前記情報機器に設けられた前記コンテンツ出力部にコンテンツを出力させる、喫食判定システム。
【請求項５】
請求項２から請求項４までのいずれか１項に記載の喫食判定システムであって、
前記加速度センサの測定結果及び前記タッチセンサの測定結果に基づき、前記食事用具を用いたユーザの喫食回数をカウントする喫食カウント部を更に備え、
前記出力処理部は、前記喫食カウント部によりカウントされた前記喫食回数に基づいて前記コンテンツ出力部にコンテンツを出力させる、喫食判定システム。
【請求項６】
請求項２から請求項５までのいずれか１項に記載の喫食判定システムであって、
前記加速度センサの測定結果及び前記タッチセンサの測定結果に基づき、前記食事用具を用いたユーザの喫食が止まったか否かを判定する停止判定部を更に備え、
前記出力処理部は、前記停止判定部によりユーザの喫食が止まったと判定された場合に、前記コンテンツ出力部にコンテンツを出力させる、喫食判定システム。
【請求項７】
請求項２から請求項６までのいずれか１項に記載の喫食判定システムであって、
前記加速度センサの測定結果及び前記タッチセンサの測定結果に基づき、ユーザの喫食の速さを判定する速さ判定部を更に備え、
前記出力処理部は、前記速さ判定部により判定された喫食の速さに基づいて前記コンテンツ出力部にコンテンツを出力させる、喫食判定システム。
【請求項８】
請求項２から請求項７までのいずれか１項に記載の喫食判定システムであって、
前記加速度センサの測定結果に基づき、前記食事用具を用いたユーザの食べ方を判定する食べ方判定部を更に備え、
前記出力処理部は、前記食べ方判定部により判定されたユーザの食べ方に基づいて前記コンテンツ出力部にコンテンツを出力させる喫食判定システム。
【請求項９】
通信機能を有する食事用具と通信を行う情報機器のためのコンピュータプログラムであって、
前記食事用具は、
棒状の把持部と、
前記把持部の一端に配置された先端部と、
当該食事用具の加速度を検出する加速度センサと、
前記先端部に対する接触を検出するタッチセンサと、
前記情報機器と通信可能な食事用具通信部と、
前記食事用具通信部を介して前記加速度センサの測定結果及び前記タッチセンサの測定結果を前記情報機器に送信する測定送信処理部と、
を備え、
前記情報機器は、前記食事用具と通信可能な機器通信部を備え、
前記情報機器のコンピュータを、
前記機器通信部を介して前記食事用具から受信した前記加速度センサの測定結果及び前記タッチセンサの測定結果を取得する測定取得処理部と、
前記測定取得処理部により取得された前記加速度センサの測定結果及び前記タッチセンサの測定結果に基づき、前記食事用具を用いてユーザが喫食したか否かを判定する喫食判定部と、
として機能させるコンピュータプログラム。
【請求項１０】
通信機能を有する食事用具と通信を行う情報機器のためのコンピュータプログラムであって、
前記食事用具は、
棒状の把持部と、
前記把持部の一端に配置された先端部と、
当該食事用具の加速度を検出する加速度センサと、
前記先端部に対する接触を検出するタッチセンサと、
前記加速度センサの測定結果及び前記タッチセンサの測定結果に基づき、前記食事用具を用いてユーザが喫食したか否かを判定する喫食判定部と、
前記情報機器と通信可能な食事用具通信部と、
前記食事用具通信部を介して前記喫食判定部による判定結果を前記情報機器に送信する判定送信処理部と、
を備え、
前記情報機器は、
前記食事用具と通信可能な機器通信部と、
コンテンツを出力可能なコンテンツ出力部と、
を備え、
前記情報機器のコンピュータを、
前記機器通信部を介して前記食事用具から受信した前記喫食判定部による判定結果を取得する判定取得処理部と、
前記判定取得処理部により取得された前記喫食判定部による判定結果に基づき、前記コンテンツ出力部にコンテンツを出力させる出力処理部と、
として機能させるコンピュータプログラム。
【請求項１１】
通信機能を有する食事用具と通信を行う情報機器であって、
前記食事用具は、
棒状の把持部と、
前記把持部の一端に配置された先端部と、
当該食事用具の加速度を検出する加速度センサと、
前記先端部に対する接触を検出するタッチセンサと、
前記情報機器と通信可能な食事用具通信部と、
前記食事用具通信部を介して前記加速度センサの測定結果及び前記タッチセンサの測定結果を前記情報機器に送信する測定送信処理部と、
を備え、
前記情報機器は、
前記食事用具と通信可能な機器通信部と、
前記機器通信部を介して受信した前記食事用具からの前記加速度センサの測定結果及び前記タッチセンサの測定結果を取得する測定取得処理部と、
前記測定取得処理部により取得された前記加速度センサの測定結果及び前記タッチセンサの測定結果に基づき、前記食事用具を用いてユーザが喫食したか否かを判定する喫食判定部と、
を備える情報機器。
【請求項１２】
通信機能を有する食事用具と通信を行う情報機器であって、
前記食事用具は、
棒状の把持部と、
前記把持部の一端に配置された先端部と、
当該食事用具の加速度を検出する加速度センサと、
前記先端部に対する接触を検出するタッチセンサと、
前記加速度センサの測定結果及び前記タッチセンサの測定結果に基づき、前記食事用具を用いてユーザが喫食したか否かを判定する喫食判定部と、
前記情報機器と通信可能な食事用具通信部と、
前記食事用具通信部を介して前記喫食判定部による判定結果を前記情報機器に送信する判定送信処理部と、
を備え、
前記情報機器は、
前記食事用具と通信可能な機器通信部と、
コンテンツを出力可能なコンテンツ出力部と、
前記機器通信部を介して前記食事用具から受信した前記喫食判定部による判定結果を取得する判定取得処理部と、
前記判定取得処理部により取得された前記喫食判定部による判定結果に基づき、前記コンテンツ出力部にコンテンツを出力させる出力処理部と、
を備える情報機器。
【発明の詳細な説明】
【技術分野】
【０００１】
本開示は、喫食判定システム、コンピュータプログラム及び情報機器に関する。
【背景技術】
【０００２】
食物の好き嫌いのある子供を持つ親にとって食事は悩みの１つである。現在、子供が食事をしたくなるような食事を促進するような食育ツールはあまり存在しない。
例えば、特許文献１には、子供が食物を口に入れることにより音声を発するスプーン、フォーク等の食事用具が開示されている。
【０００３】
この食事用具は、棒状の把持部と、把持部に埋め込まれており、把持部の表面に長手方向に沿って露出する棒状の把持電極と、把持部の一端に配置されており、把持電極と絶縁された導体製の先端部と、把持電極と先端部とを導通させた際に音を発するスピーカとを備える。子供が食事用具を手に持ち、先端部を口に含むと、子供の身体を介してスイッチが導通し、スピーカから音が発せられる。この食事用具では把持電極と先端部とが導通することで子供の喫食が検出される。
【先行技術文献】
【特許文献】
【０００４】
【特許文献１】特開２０１８−７９５３号公報
【発明の概要】
【発明が解決しようとする課題】
【０００５】
本開示の一局面は、子供等のユーザの喫食を新規な手法で検出することを目的としている。
【課題を解決するための手段】
【０００６】
本開示の一態様は、喫食判定システムであって、食事用具と、加速度センサと、タッチセンサと、喫食判定部と、を備える。食事用具は、棒状の把持部と、把持部の一端に配置された先端部と、を備える。加速度センサは、食事用具の加速度を検出する。タッチセンサは、先端部に対する接触を検出する。喫食判定部は、加速度センサの測定結果及びタッチセンサの測定結果に基づき、食事用具を用いてユーザが喫食したか否かを判定する。
【０００７】
このような構成によれば、子供等のユーザの喫食を新規な手法で検出することができる。
本開示の一態様は、喫食判定部によりユーザが喫食したと判定された場合に、コンテンツを出力可能なコンテンツ出力部にコンテンツを出力させる出力処理部を更に備えてもよい。このような構成によれば、ユーザが喫食したと判定された場合にコンテンツが出力され、その結果、ユーザが食べることを楽しくすることができる。
【０００８】
本開示の一態様では、出力処理部は、食事用具に設けられたコンテンツ出力部にコンテンツを出力させてもよい。このような構成によれば、ユーザの側にコンテンツ出力が可能な食事用具とは別の機器がなくてもユーザに対してコンテンツ出力ができる。
【０００９】
本開示の一態様は、食事用具は、情報機器と通信するための通信部を更に備えてもよい。出力処理部は、情報機器に設けられたコンテンツ出力部にコンテンツを出力させてもよい。このような構成によれば、情報機器に実装されているコンテンツ出力部を介してコンテンツ出力が行われる。したがって、食事用具にコンテンツ出力部を設けなくても、ユーザに対してコンテンツを出力できる。よって、食事用具にコンテンツ出力部を設け、当該コンテンツ出力部からコンテンツを出力する構成と比較して、食事用具の製造コストを削減することができる。
【００１０】
本開示の一態様は、加速度センサの測定結果及びタッチセンサの測定結果に基づき、食事用具を用いたユーザの喫食回数をカウントする喫食カウント部を更に備えてもよい。出力処理部は、喫食カウント部によりカウントされた喫食回数に基づいてコンテンツ出力部にコンテンツを出力させてもよい。このような構成によれば、ユーザが食べることを楽しくすることができる。
【００１１】
本開示の一態様は、加速度センサの測定結果及びタッチセンサの測定結果に基づき、食事用具を用いたユーザの喫食が止まったか否かを判定する停止判定部を更に備えてもよい。出力処理部は、停止判定部によりユーザの喫食が止まったと判定された場合に、コンテンツ出力部にコンテンツを出力させてもよい。
【００１２】
このような構成によれば、例えば、ユーザがまだ食事中である場合にはユーザに対して喫食を促すコンテンツを出力することで、ユーザが最後まで食物を食べ、食べ残しを少なくすることができる。また例えば、ユーザの食事が終了した場合にはユーザが完食したことに対する褒めるコンテンツ等を出力することで、完食に対するユーザのモチベーションを向上させることができる。
【００１３】
本開示の一態様は、加速度センサの測定結果及びタッチセンサの測定結果に基づき、ユーザの喫食の速さを判定する速さ判定部を更に備えてもよい。そして、出力処理部は、速さ判定部により判定された喫食の速さに基づいてコンテンツ出力部にコンテンツを出力させてもよい。このような構成によれば、ユーザに適切な喫食の速さを教えることができる。
【００１４】
本開示の一態様は、加速度センサの測定結果及びタッチセンサの測定結果に基づき、食事用具を用いたユーザの食べ方を判定する食べ方判定部を更に備えてもよい。出力処理部は、食べ方判定部により判定されたユーザの食べ方に基づいてコンテンツ出力部にコンテンツを出力させてもよい。このような構成によれば、ユーザに正しい食べ方を教えることができる。
【００１５】
本開示の別の態様は、通信機能を有する食事用具と通信を行う情報機器のためのコンピュータプログラムである。食事用具は、前述した把持部、先端部、加速度センサ及びタッチセンサと、食事用具通信部と、測定送信処理部と、を備える。食事用具通信部は、情報機器と通信可能である。測定送信処理部は、食事用具通信部を介して加速度センサの測定結果及びタッチセンサの測定結果を情報機器に送信する。情報機器は、食事用具と通信可能な機器通信部を備える。コンピュータプログラムは、情報機器のコンピュータを、測定取得処理部と、喫食判定部と、として機能させる。測定取得処理部は、機器通信部を介して食事用具から受信した加速度センサの測定結果及びタッチセンサの測定結果を取得する。喫食判定部は、測定取得処理部により取得された加速度センサの測定結果及びタッチセンサの測定結果に基づき、食事用具を用いてユーザが喫食したか否かを判定する。
【００１６】
このような構成によれば、上記の喫食判定システムと同様の効果を奏する。
本開示の別の態様は、通信機能を有する食事用具と通信を行う情報機器のためのコンピュータプログラムであって、食事用具は、前記把持部、先端部、加速度センサ及びタッチセンサと、喫食判定部と、食事用具通信部と、判定送信処理部と、を備える。喫食判定部は、加速度センサの測定結果及びタッチセンサの測定結果に基づき、食事用具を用いてユーザが喫食したか否かを判定する。判定送信処理部は、食事用具通信部を介して喫食判定部による判定結果を情報機器に送信する。情報機器は、機器通信部と、コンテンツ出力部と、を備える。機器通信部は、食事用具と通信可能である。コンテンツ出力部は、コンテンツを出力可能である。コンピュータプログラムは、情報機器のコンピュータを、判定取得処理部と、出力処理部と、として機能させる。判定取得処理部は、機器通信部を介して食事用具から受信した喫食判定部による判定結果を取得する。出力処理部は、判定取得処理部により取得された喫食判定部による判定結果に基づき、コンテンツ出力部にコンテンツを出力させる。
【００１７】
このような構成によれば、上記の喫食判定システムと同様の効果を奏する。
本開示の別の態様は、通信機能を有する食事用具と通信を行う情報機器であって、食事用具は、前述した把持部、先端部、加速度センサ、タッチセンサ、食事用具通信部及び測定送信処理部を備える。情報機器は、前述した機器通信部と、測定取得処理部と、喫食判定部と、を備える。測定取得処理部は、機器通信部を介して受信した食事用具からの加速度センサの測定結果及びタッチセンサの測定結果を取得する。喫食判定部は、測定取得処理部により取得された加速度センサの測定結果及びタッチセンサの測定結果に基づき、食事用具を用いてユーザが喫食したか否かを判定する。
【００１８】
このような構成によれば、上記の喫食判定システムと同様の効果を奏する。
本開示の別の態様は、通信機能を有する食事用具と通信を行う情報機器であって、食事用具は、前述した把持部、先端部、加速度センサ、タッチセンサ、喫食判定部、食事用具通信部及び判定送信処理部を備える。情報機器は、前述した機器通信部、コンテンツ出力部、判定取得処理部及び出力処理部を備える。
【００１９】
このような構成によれば、上記の喫食判定システムと同様の効果を奏する。
【図面の簡単な説明】
【００２０】
【図１】図１は食育システムの全体図である。
【図２】図２は食事用具の構成を示すブロック図である。
【図３】図３は情報機器の構成を示すブロック図である。
【図４】図４はサーバの構成を示すブロック図である。
【図５】図５は第１実施形態のデータ送信処理のフローチャートである。
【図６】図６は第１実施形態のコンテンツ出力処理のフローチャートである。
【図７】図７はユーザの食事ログを示すコンテンツの一例を示す図である。
【図８】図８は喫食回数に基づくコンテンツの一例を示す図である。
【図９】図９は第２実施形態のデータ送信処理のフローチャートである。
【図１０】図１０は第２実施形態のコンテンツ出力処理のフローチャートである。
【発明を実施するための形態】
【００２１】
以下、図面を参照しながら、本開示を実施するための形態を説明する。
［１．第１実施形態］
［１−１．構成］
図１に示す食育システム１は、食事用具２と、情報機器３と、サーバ４と、を備える。食育システム１は、食事用具２を用いたユーザの喫食を判定し、ユーザが喫食したと判定した場合に、情報機器３により音や画面表示でコンテンツ出力を行うシステムである。食育システム１は、好き嫌いのある子供等に対して食事中にコンテンツ出力を行うことで子供が楽しく食事できるようにするためのシステムである。本実施形態では、食事用具２を用いるユーザとして子供が想定される。また、本実施形態でいう喫食とは、ユーザが食事用具２を使って食物を保持し、食物を口に入れるまでの１回の喫食を意味する。
＜食事用具２＞
図１に示す本実施形態の食事用具２は、子供用のフォークである。食事用具２は、棒状の把持部２１と、把持部２１の一端に配置されたフォーク型の先端部２２と、を備える。
【００２２】
食事用具２は、図２に示すように、加速度センサ２３、タッチセンサ２４、通信部２５、電源２６、電源スイッチ２７及び制御部２８を備える。
加速度センサ２３は、ｘ軸、ｙ軸及びｚ軸の３軸方向の食事用具２の加速度を検出する。加速度センサ２３は、測定結果を制御部２８に出力する。
【００２３】
タッチセンサ２４は、先端部２２に設けられ、先端部２２に対する接触を検出する。本実施形態のタッチセンサ２４は、静電容量の変化に基づいて、先端部２２に対する接触（タッチ）を検出する。具体的には、タッチセンサ２４は、静電容量の変化量が所定の変化量以上である場合に先端部２２に対して接触があったと判定する。タッチセンサ２４は、測定結果（接触の有無の判定結果）を制御部２８に出力する。
【００２４】
通信部２５は、外部の装置と有線又は無線で通信を行うための通信インタフェースである。本実施形態では、食事用具２は、通信部２５を介して情報機器３と無線通信を行う。
電源２６は、食事用具２の各部に電力を供給する。
【００２５】
電源スイッチ２７は、食事用具２の電源２６のオンオフを切り替えるためのスイッチである。電源スイッチ２７は、図１に示すように、把持部２１における先端部２２とは反対側の端部近傍に設けられている。
【００２６】
制御部２８は、ＣＰＵ２８１と、ＲＡＭ、ＲＯＭ、フラッシュメモリ等の半導体メモリ（以下、メモリ２８２）と、を有する周知のマイクロコンピュータを中心に構成される。制御部２８の各種機能は、ＣＰＵ２８１が非遷移的実体的記憶媒体に格納されたプログラムを実行することにより実現される。この例では、メモリ２８２が、プログラムを格納した非遷移的実体的記憶媒体に該当する。また、このプログラムの実行により、プログラムに対応する方法が実行される。なお、制御部２８を構成するマイクロコンピュータの数は１つでも複数でもよい。制御部２８は、ＣＰＵ２８１がプログラムを実行することで、後述する図５に示すデータ送信処理を実行する。データ送信処理が実行されることで、加速度センサ２３及びタッチセンサ２４の測定結果等が通信部２５を介して情報機器３に送信される。
＜情報機器３＞
情報機器３は、例えばスマートフォン、タブレット端末、パーソナルコンピュータなどの各種の情報機器である。本実施形態では、情報機器３として、ユーザが携帯して使用可能な情報機器（携帯情報端末）の一例としてのスマートフォンが想定される。情報機器３は、図１及び図３に示すように、表示部３１、入力部３２、スピーカ３３、記憶部３４、カメラ部３５、通信部３６及び制御部３７を備える。
【００２７】
表示部３１は、例えば液晶ディスプレイや有機ＥＬディスプレイなど、画像を表示可能な表示デバイスを有する。
入力部３２は、各種入力操作を受け付けるための入力用デバイスを有する。入力部３２が備える入力用デバイスには、例えば、ボタン、スイッチ、タッチパネルなどが含まれる。
【００２８】
スピーカ３３は、音を出力可能に構成されている。
記憶部３４は、各種データを記憶する。
カメラ部３５は、ＣＣＤ（Charge-Coupled Device）やＣＭＯＳ（Complementary Metal Oxide Semiconductor）などの撮像素子を用いて電子撮像するデジタルカメラである。
【００２９】
通信部３６は、外部の装置と有線又は無線で通信を行うための通信インタフェースである。本実施形態では、情報機器３は、通信部３６を介して食事用具２と無線通信を行う。また、情報機器３は、通信部３６を介して図１に示すインターネット網５にアクセスし、サーバ４とデータ通信を行う。
【００３０】
制御部３７は、ＣＰＵ３７１と、ＲＡＭ、ＲＯＭ、フラッシュメモリ等の半導体メモリ（以下、メモリ３７２）と、を有する周知のマイクロコンピュータを中心に構成される。制御部３７の各種機能は、ＣＰＵ３７１が非遷移的実体的記憶媒体に格納されたプログラムを実行することにより実現される。この例では、メモリ３７２が、プログラムを格納した非遷移的実体的記憶媒体に該当する。また、このプログラムの実行により、プログラムに対応する方法が実行される。なお、制御部３７を構成するマイクロコンピュータの数は１つでも複数でもよい。
【００３１】
ここで、本実施形態の食育システム１では、食事用具２から送信された加速度センサ２３及びタッチセンサ２４の測定結果に基づき情報機器３においてユーザが食事用具２を用いて喫食したか否かの判定（以下、喫食判定）が行われる。そして、ユーザが喫食したと判定された場合に、情報機器３において音や画像のコンテンツが出力される。本実施形態では、情報機器３のメモリ３７２には、喫食判定及び喫食判定に伴うコンテンツ出力を行うための専用のアプリケーションソフトウェア（以下、喫食判定アプリ）がインストールされて記憶されている。この喫食判定アプリを情報機器３において起動することで、後述する図６に示すコンテンツ出力処理が実行される。コンテンツ出力処理が実行されることで喫食判定及びコンテンツ出力が行われる。
【００３２】
また、本実施形態では、メモリ３７２には、喫食判定アプリにより情報機器３から出力される複数パターンのコンテンツ（音や画像）が記憶されている。また、メモリ３７２には、食事用具２を使用するユーザのユーザ情報が記憶されている。ユーザ情報は、例えば、子供の性別、年齢、苦手な食物等である。これらのユーザ情報は、ユーザの親が入力部３２を介して入力することが想定される。
【００３３】
また、後述する図６に示すコンテンツ出力処理が実行されることで、喫食判定に係る判定結果等を示すデータ（以下、喫食データ）やユーザ情報などが情報機器３からサーバ４に送信される。ここでいう喫食データには、ユーザが喫食したか否かの判定結果を示す情報に加え、ユーザが喫食した時刻を示す情報や、ユーザが食べた又は食べなかった食物又は食材の情報（以下、食物情報）などが含まれる。この食物情報は、食事用具２を使用する子供の親によって入力部３２を介して情報機器３に入力されることが想定される。なお、喫食判定アプリには、食事中の子供をカメラ部３５により撮像して、撮像した動画又は静止画を記憶する、又は、サーバ４に送信する機能がある。撮像された動画又は静止画は後でユーザの親によって見られることが想定される。
＜サーバ４＞
サーバ４は、図４に示すように、通信部４１、記憶部４２及び制御部４３を備える。
【００３４】
通信部４１は、外部の装置と通信を行うための通信インタフェースである。本実施形態では、サーバ４は、通信部４１を介して情報機器３とデータ通信を行う。
記憶部４２は、各種データを記憶する。記憶部４２には、情報機器３から送信された喫食データとユーザ情報とが互いに関連付けられて記憶されている。記憶部４２には、各ユーザの過去の喫食データが食事ログとして記憶される。すなわち、ユーザである子供がどの食物又は食材をいつ食べたか又は食べなかったかという食事ログが記憶されている。
【００３５】
また、記憶部４２には、その他にも様々な子供の食育に関するコンテンツ（以下、食育コンテンツ）が記憶されている。例えば、食育コンテンツとしては、子供の苦手な食材を使用した料理のレシピデータやユーザが最近食べていない食物又は食材を示すコンテンツ等が挙げられる。
【００３６】
制御部４３は、ＣＰＵ４３１と、ＲＡＭ、ＲＯＭ、フラッシュメモリ等の半導体メモリ（以下、メモリ４３２）と、を有する周知のマイクロコンピュータを中心に構成される。制御部４３の各種機能は、ＣＰＵ４３１が非遷移的実体的記憶媒体に格納されたプログラムを実行することにより実現される。この例では、メモリ４３２が、プログラムを格納した非遷移的実体的記憶媒体に該当する。また、このプログラムの実行により、プログラムに対応する方法が実行される。なお、制御部４３を構成するマイクロコンピュータの数は１つでも複数でもよい。
【００３７】
制御部４３は、情報機器３からの要求を受け、記憶部４２に記憶されている食事ログやその他食育コンテンツなどを情報機器３に送信する。サーバ４から情報を受信した情報機器３の表示部３１には様々な画像が表示される。例えば、サーバ４から食事ログを受信した情報機器３の表示部３１には図７に示すような画像が表示される。図７に示す例では、食事ログとして、一定期間ごとの或る食材を食べた回数が表示されている。
【００３８】
また、本実施形態では、サーバ４は、ユーザ情報に合わせてユーザに適した情報を適宜のタイミングで情報機器３に送信する。送信される情報としては、例えば、子供が近日食べていない食物又は食材を示す情報や、ユーザが苦手な食材に関する料理のレシピ情報、子供の苦手な食物又は食材に関する食育絵本の紹介情報、他のユーザの食事ログ等が挙げられる。なお、他のユーザの食事ログはランキング形式で送信されてもよい。これらの情報は、主に、食事用具２を使用する子供の親のための情報である。子供の親は例えば他のユーザの食事ログを参考できる。
【００３９】
このように、本実施形態のサーバ４は、情報機器３から受信した喫食データに基づく食事ログ管理、ユーザ情報管理、他のユーザとの食事ログの連携、食育コンテンツの管理及び配信などを行う。
【００４０】
［１−２．処理］
［１−２−１．データ送信処理］
次に、食事用具２の制御部２８が実行するデータ送信処理について、図５のフローチャートを用いて説明する。なお、データ送信処理は、食事用具２の電源がオンである間において周期的に実行される。
【００４１】
まず、Ｓ１０１で、制御部２８は、加速度センサ２３及びタッチセンサ２４からセンサ情報を取得する。ここでいうセンサ情報は、センサ２３，２４の測定結果及び測定時刻を含む情報である。
【００４２】
続いて、Ｓ１０２で、制御部２８は、Ｓ１０１で取得されたセンサ情報を通信部２５を介して情報機器３に送信する。なお、食事用具２から送信され、情報機器３により受信されたセンサ情報は、情報機器３の記憶部３４に記憶される。制御部２８は、Ｓ１０２を実行すると図５のデータ送信処理を終了する。
【００４３】
［１−２−２．コンテンツ出力処理］
次に、情報機器３の制御部３７が実行するコンテンツ出力処理について、図６のフローチャートを用いて説明する。コンテンツ出力処理は、喫食判定アプリが起動されている状態において周期的に実行される。なお、情報機器３は、コンテンツ出力処理の実行中は、食事用具２を使って食事しているユーザの側（少なくとも情報機器３から出力される音や画像などのコンテンツがユーザに届く又はユーザが確認できる範囲）に存在していることが想定される。
【００４４】
まず、Ｓ２０１で、制御部３７は、食事用具２から受信して記憶されたセンサ情報を記憶部３４から取得する。ここで、制御部３７は、過去一定時間に亘るセンサ情報を記憶部３４から取得する。ここでいう過去一定時間は、ユーザが食事用具２を使って食物を保持し、食物を口に入れるまでの時間を目安に設定される。
【００４５】
続いて、Ｓ２０２で、制御部３７は、Ｓ２０１で取得されたセンサ情報に基づき、ユーザが食事用具２を用いて喫食したか否かを判定する。ここで、制御部３７は、取得されたセンサ情報を基に、食事用具２の状態が、鉛直方向（すなわち重力方向）の下方に加速度が作用している状態（以下、下降状態）から鉛直方向の上方に加速度が作用している状態（以下、上昇状態）に切り替わり、かつ、この下降状態から上昇状態への切替りが検出されてから所定時間以内にタッチセンサ２４により食事用具２の先端部２２に対する接触が検出された場合に、ユーザが食事用具２を用いて喫食したと判定する。
【００４６】
判定基準がこのように設定される理由は以下のとおりである。ユーザが喫食する場合、まずユーザは食事用具２で食物を保持するため食事用具２を食物に対して上方から接近させる（つまり食事用具２に鉛直方向の下方に向かう加速度が加わる。）。そして、ユーザは、食事用具２で食物を保持すると食物をユーザの口に運ぶ（つまり食事用具２が上昇し、食事用具２に鉛直方向の上方に向かう加速度が加わる。）。つまり、この行為が行われると、食事用具２の状態が下降状態から上昇状態に切り替わる。そして、ユーザが食物を口に含むと、食事用具２の先端部２２に対する接触が検出される。このような理由から本実施形態ではユーザが食事用具２を使って喫食したか否かの判定基準として上記判定基準が設定される。
【００４７】
なお、食事用具２の先端部２２がユーザの口に含まれると、タッチセンサ２４に口内の液体（唾液）が付着し、タッチセンサ２４により検出される静電容量が変化する。タッチセンサ２４は、この静電容量の変化を検出することで先端部２２に対する接触を検出する。
【００４８】
なお、タッチセンサ２４が接触ありと判定するときのしきい値となる静電容量の所定の変化量は、野菜などの食物に先端部２２を接触させたときにタッチセンサ２４に付着する水分による静電容量の標準的な変化量よりも大きく設定される。また、前記所定の変化量は、先端部２２がユーザの口内に含まれたときにタッチセンサ２４に付着する水分による静電容量の標準的な変化量よりも小さく設定される。これは、野菜などの食物に先端部２２を接触させたときにタッチセンサ２４により接触ありと判定され、その時点で喫食（ユーザが食物を口に含む行為）があったと誤判定されることを抑制するためである。
【００４９】
制御部３７は、Ｓ２０２でユーザが喫食したと判定した場合（Ｓ２０２：ＹＥＳ）には、Ｓ２０３へ移行し、スピーカ３３を介してコンテンツを出力する。
具体的には、本実施形態では、ユーザの喫食が検出された場合、ユーザの喫食行為に合わせて、あらかじめ選択された音が再生される。ここで再生される音としては、例えば、ユーザが食べている食物や食材に関する音やユーザを飽きさせない効果音などが挙げられる。このような音としては、例えば、食物や食材の名前をオノマトペ化した音（例えば食物が人参である場合は「にんにんにん」等）や、食物や食材に対するクイズをリズミカルにした音（例えば「今食べているのは何色？緑？オレンジ？」との音声等）が挙げられる。また例えば、食べる行為と関連するオノマトペ（例えば「パクパク」との音声等）や、その他面白い効果音などが挙げられる。
【００５０】
再生したい音の種類は、喫食判定アプリで選択できる。例えば、食材の名前をオノマトペ化した音を再生する際は、ユーザの親が食材を喫食判定アプリにおいてあらかじめ選択しておき、ユーザの喫食が検出された場合に選択された音が出力される。
【００５１】
具体的には、本実施形態では喫食判定アプリを起動して表示部３１に表示される所定のソフトウェアボタンを選択すると食材リストが表示部３１に表示される。そして、ユーザの親がユーザが食べる食材を１又は複数個選択すると、選択された食材に対応する音が出力される。なお、複数の食材が選択された場合、選択された食材に対応する音がランダムに出力される。また、本実施形態では、音色及び／又は声質が異なる複数パターンの音を選択可能であり、ユーザの親が複数パターンの音の中から再生したい音を選択する。
【００５２】
続いて、Ｓ２０４で、制御部３７は、記憶部３４に記憶されている喫食回数を１だけ増加する。ここで、記憶部３４には、ユーザの食事が開始されてからの喫食回数が記憶されており、制御部３７は当該喫食回数を１だけ増加する。なお、ユーザの食事が開始されたか否かの判定については種々の判定方法が想定される。例えば、喫食判定アプリが起動されたことをもってユーザの食事が開始されと簡易的に判定されてもよい。
【００５３】
制御部３７は、Ｓ２０４を実行すると後述するＳ２０５へ移行する。
一方、制御部３７は、前述したＳ２０２でユーザが食事用具２を用いて喫食していないと判定した場合（Ｓ２０２：ＮＯ）には、前述したＳ２０３及びＳ２０４を飛ばしてＳ２０５へ移行する。
【００５４】
Ｓ２０５で、制御部３７は、記憶部３４から食事が開始されてからの喫食回数を取得する。
続いて、Ｓ２０６で、制御部３７は、Ｓ２０５で取得された喫食回数に基づくコンテンツ出力を表示部３１を介して行う。具体的には、制御部３７は、ユーザの喫食回数に合わせて、表示部３１に表示されたコンテンツをリアルタイムに変化させる。例えば、制御部３７は、図８に示すように、喫食回数を表示部３１に表示させ、ユーザの喫食に合わせてリアルタイムに喫食回数を変化させる。また例えば、制御部３７は、ユーザの喫食回数に合わせて草などの植物が増える、パンダなどの動物が喫食回数の変化に合わせて食べるといったコンテンツを表示部３１に出力させる。
【００５５】
続いて、Ｓ２０７で、制御部３７は、Ｓ２０５で取得された喫食回数が一定回数以上であるか否かを判定する。
制御部３７は、Ｓ２０７で喫食回数が一定回数以上であると判定した場合（Ｓ２０７：ＹＥＳ）には、Ｓ２０８へ移行し、表示部３１及びスピーカ３３を介してコンテンツを出力させる。例えば、制御部３７は、ユーザのモチベーションが上がるようなコンテンツを出力させる。このようなコンテンツとしては、例えば、「５回食べたよ、すごい！」などの音や画像の出力が挙げられる。制御部３７は、Ｓ２０８を実行すると後述するＳ２０９へ移行する。
【００５６】
一方、制御部３７は、Ｓ２０７で喫食回数が一定回数以上でない（つまり一定回数未満である）と判定した場合（Ｓ２０７：ＮＯ）には、前述したＳ２０８を飛ばしてＳ２０９へ移行する。
【００５７】
Ｓ２０９で、制御部３７は、Ｓ２０１で取得されたセンサ情報に基づきユーザの食べ方を判定する。
具体的には、制御部３７は、Ｓ２０９で、ユーザが食事用具２を正しく使って食物又は食材を食べているか否かを判定する。制御部３７は、この判定を行うに当たり次の２つの判定（判定Ａ及び判定Ｂ）を行う。
（判定Ａ）制御部３７は、加速度センサ２３の測定結果に基づいて、ユーザが食事用具２を使って食物を保持してから口に運ぶまでの間に食事用具２が水平に保たれているか否かを判定する。具体的には、制御部３７は、食事用具２の状態が下降状態から上昇状態に切り替わってからタッチセンサ２４により接触が検出されるまでの間の加速度センサ２３の測定結果に基づいて鉛直方向（すなわち重力方向）に対する食事用具２の傾斜角度を判定する。そして、制御部３７は、判定された当該傾斜角度に基づいて食事用具２が水平に保たれているか否かを判定する。
（判定Ｂ）制御部３７は、加速度センサ２３の測定結果に基づいて、ユーザが食事用具２を振り回したり投げたりしているかを判定する。例えば、制御部３７は、鉛直上方又は鉛直下方への不規則な加速度（例えば短時間で下降状態及び上昇状態が複数回切り替わる等）が検出されたり急激な水平方向の加速度が検出されたりした場合に、ユーザが食事用具２を投げたり振り回したりしていると判定する。一方、制御部３７は、そのような不規則な加速度等が検出されない場合に、ユーザが食事用具２を投げたり振り回したりしていないと判定する。
【００５８】
制御部３７は、判定Ａにおいてユーザが食事用具２を使って食物を保持してから口に運ぶまでの間に食事用具２が水平に保たれていると判定し（判定Ａ：ＹＥＳ）、かつ、判定Ｂにおいてユーザが食事用具２を振り回したり投げたりしていないと判定した場合（判定Ｂ：ＮＯ）に、ユーザが食事用具２を正しく使って食物を食べていると判定する。一方、制御部３７は、判定Ａにおいてユーザが食事用具２で食物を保持してから口に運ぶまでの間に食事用具２が水平に保たれていないと判定した場合（判定Ａ：ＮＯ）、又は、ユーザが食事用具２を振り回したり投げたりしていると判定した場合（判定Ｂ：ＹＥＳ）に、ユーザが食事用具２を正しく使って食物を食べていないと判定する。
【００５９】
続いて、Ｓ２１０で、制御部３７は、Ｓ２０９の判定結果に基づくコンテンツ出力をスピーカ３３を介して行う。具体的には、制御部３７は、Ｓ２０９でユーザが食事用具２を正しく使って食物を食べていると判定した場合にはスピーカ３３を介して褒め言葉（「良い食べ方で食べられたね、すごい」との音声等）を出力する。一方、制御部３７は、Ｓ２０９で食事用具２を正しく使って食物を食べていないと判定した場合にはスピーカ３３を介してユーザの食べ方に合わせたフィードバック（「だめ！ちゃんと扱いましょう」との音声等）を出力する。
【００６０】
続いて、Ｓ２１１で、制御部３７は、Ｓ２０１で取得されたセンサ情報に基づきユーザの喫食の速さを判定する。具体的には、制御部３７は、ユーザが食事用具２を使って食物を保持してから食物を口に含むまで（食事用具２の状態が下降状態から上昇状態に切り替わってからタッチセンサ２４により接触を検出するまで）の時間が所定時間未満である場合にユーザの喫食の速さが早いと判定する。一方、制御部３７は、ユーザが食事用具２を使って食物を保持してから食物を口に含むまで時間が所定時間以上である場合にユーザの喫食の速さが早くないと判定する。
【００６１】
続いて、Ｓ２１２で、制御部３７は、Ｓ２１１の判定結果に基づくコンテンツ出力をスピーカ３３を介して行う。具体的には、制御部３７は、Ｓ２１１でユーザの喫食の速さが早いと判定した場合にはスピーカ３３を介してユーザにゆっくり食べることを促す音（「ゆっくり〜」との音声等）を出力する。
【００６２】
続いて、Ｓ２１３で、制御部３７は、ユーザの喫食が止まったか否かを判定する。ここで、制御部３７は、直近でＳ２０２でユーザが喫食したと判定されてから所定時間以上ユーザの喫食が検出されない場合にユーザの喫食が止まったと判定する。
【００６３】
制御部３７は、Ｓ２１３でユーザの喫食が止まったと判定した場合（Ｓ２１３：ＹＥＳ）には、Ｓ２１４へ移行し、ユーザがまだ食事中であるか否かを判定する。本実施形態では、食事が開始されてからのユーザの喫食回数が所定回数未満である場合にユーザがまだ食事中であると判定する。一方、制御部３７は、食事が開始されてからのユーザの喫食回数が所定回数以上である場合にユーザが食事中でない（つまり食事が終了した）と判定する。
【００６４】
制御部３７は、Ｓ２１４でユーザがまだ食事中であると判定した場合（Ｓ２１４：ＹＥＳ）には、Ｓ２１５へ移行し、喫食を促すコンテンツをスピーカ３３を介して出力する。例えば、制御部３７は、喫食を促すコンテンツとして「もう少しで完食だよ」などの音声を出力する。制御部３７は、Ｓ２１５を実行すると、後述するＳ２１７へ移行する。
【００６５】
一方、制御部３７は、前述したＳ２１４でユーザが食事中でない（つまり食事が終了した）と判定した場合（Ｓ２１４：ＮＯ）には、Ｓ２１６へ移行し、スピーカ３３を介して喫食終了後のコンテンツを出力する。具体的には、制御部３７は、食事内容をフィードバックし、食べたことを褒めるコンテンツ（「お野菜沢山食べましたね！すごいね！」との音声等）を出力する。制御部３７は、Ｓ２１６を実行すると、Ｓ２１７へ移行する。
【００６６】
Ｓ２１７で、制御部３７は、サーバ４にＳ２０２、Ｓ２０７、Ｓ２０９、Ｓ２１１、Ｓ２１３及びＳ２１４の各種判定データや喫食時刻、食材情報等を含む喫食データと、ユーザ情報と、を送信した後、図６のコンテンツ出力処理を終了する。
【００６７】
［１−３．効果］
以上詳述した第１実施形態によれば、以下の効果が得られる。
（１）本実施形態では、情報機器３の制御部３７は、食事用具２から送信されたセンサ情報に基づき、食事用具２を用いてユーザが喫食したか否かを判定する。したがって、子供等のユーザの喫食を新規な手法で検出することができる。
【００６８】
また、本実施形態によれば、前述した特許文献１に記載の食事用具と比較して、ユーザの喫食の誤検出が発生することを抑制でき得る。すなわち、特許文献１に記載の食事用具では、ユーザが食事用具を手に持ち、食事用具の先端部を口に含むと、ユーザの身体を介してスイッチが導通し、スピーカから音が発せられる。つまり、この構成では、食事用具を使って食物を保持し、食物を口に運び、口に含むという一連の喫食動作のうち食物を口に含むという一部の行為のみに着目して喫食判定を行う。したがって、例えば、食事用具で食物を保持していない状態でユーザが食事用具の先端部を口に含んでもユーザが喫食したと誤検出される。これに対して、本実施形態によれば、前述した一連の喫食動作全体を検出することでユーザの喫食を判定する。よって、特許文献１に記載の食事用具のように一連の喫食動作のうち一部の動作のみに着目して喫食判定を行う構成と比較して、ユーザの喫食の誤検出が発生することを抑制でき得る。
【００６９】
加えて、本実施形態によれば、前記一連の喫食動作を検出することで、ユーザの食べ方を含むユーザの食事フォームを検出し、その結果に基づきコンテンツ出力を行うことで食育を促進することができる。
【００７０】
（２）本実施形態では、制御部３７は、ユーザが喫食したと判定した場合に、コンテンツとしての画像を出力可能な表示部３１及びコンテンツとしての音を出力可能なスピーカ３３にコンテンツを出力させる。したがって、ユーザが喫食したと判定された場合にコンテンツが出力され、その結果、子供が食べることを楽しくすることができる。ひいては、子供の苦手な食物や食材であっても子供の喫食を自発的に促すことができる。
【００７１】
（３）本実施形態では、ユーザが喫食したと判定された場合に、情報機器３の表示部３１及びスピーカ３３からコンテンツが出力される。つまり、情報機器３に通常実装されている表示部３１及びスピーカ３３を介してコンテンツ出力が行われる。したがって、食事用具２にコンテンツを出力可能なスピーカ等を設けなくても、ユーザに対してコンテンツを出力できる。よって、食事用具２にスピーカ等を設け、当該スピーカ等からコンテンツを出力する構成と比較して、食事用具２の製造コストを削減することができる。
【００７２】
（４）本実施形態では、制御部３７は、ユーザの喫食回数をカウントし、カウントした喫食回数に基づいて表示部３１及びスピーカ３３にコンテンツを出力させる。
具体的には、制御部３７は、ユーザの喫食回数に合わせて、表示部３１に表示されたコンテンツ（画像）をリアルタイムに変化させる。子供は、食事する際に表示部３１を見て食事することが考えられる。喫食回数に合わせて表示部３１に表示される画像がリアルタイムに変化することで、子供が食べることを楽しくすることができる。ひいては、子供の喫食を促進することができる。また、制御部３７は、ユーザの喫食回数が一定回数以上であると判定した場合には、スピーカ３３を介してコンテンツを出力する。したがって、子供の喫食に対するモチベーションを向上させることができる。
【００７３】
（５）本実施形態では、制御部３７は、ユーザの喫食が止まったと判定した場合に、スピーカ３３にコンテンツを出力させる。具体的には、制御部３７は、ユーザの喫食が止まったと判定した場合においてユーザがまだ食事中であると判定したときには、ユーザに対して喫食を促すコンテンツを出力する。よって、ユーザが最後まで食物を食べ、食べ残しを少なくすることができる。また、制御部３７は、ユーザの喫食が止まったと判定した場合において食事が終了したと判定したときには、ユーザが完食したことに対する褒めるコンテンツを出力する。よって、完食に対するユーザのモチベーションを向上させることができる。
【００７４】
（６）本実施形態では、制御部３７は、ユーザの喫食の速さを判定し、判定した喫食の速さに基づいてスピーカ３３にコンテンツを出力させる。したがって、例えば喫食の速さが速い場合にゆっくり食べることを促すコンテンツを出力することで、ユーザに適切な喫食の速さを教えることができる。
【００７５】
（７）本実施形態では、制御部３７は、食事用具２を用いたユーザの食べ方を判定し、判定したユーザの食べ方に基づいてスピーカ３３にコンテンツを出力させる。したがって、例えば、ユーザが正しい食べ方をしていない場合において正しい食べ方をフィードバックするコンテンツを出力することで、ユーザに正しい食べ方を教えることができる。
【００７６】
なお、本実施形態では、通信部２５が食事用具通信部に相当し、表示部３１及びスピーカ３３がコンテンツ出力部に相当し、通信部３６が機器通信部に相当する。また、Ｓ１０２が測定送信処理部としての処理に相当し、Ｓ２０１が測定取得処理部としての処理に相当し、Ｓ２０２が喫食判定部としての処理に相当し、Ｓ２０３、Ｓ２０６、Ｓ２０８、Ｓ２１０、Ｓ２１２、Ｓ２１５及びＳ２１６が出力処理部としての処理に相当する。また、Ｓ２０４が喫食カウント部としての処理に相当し、Ｓ２０９が食べ方判定部としての処理に相当し、Ｓ２１１が速さ判定部としての処理に相当し、Ｓ２１４が停止判定部としての処理に相当する。
【００７７】
［２．第２実施形態］
［２−１．第１実施形態との相違点］
第２実施形態は、基本的な構成は第１実施形態と同様であるため、共通する構成については説明を省略し、相違点を中心に説明する。なお、第１実施形態と同じ符号は、同一の構成を示すものであって、先行する説明を参照する。
【００７８】
前述した第１実施形態では、食事用具２は加速度センサ２３及びタッチセンサ２４に係るセンサ情報を情報機器３に送信し、情報機器３は受信したセンサ情報に基づいて喫食判定等やコンテンツ出力を行う。つまり、喫食判定等の判定処理は情報機器３側で行われる。これに対して、第２実施形態では、食事用具２はセンサ情報に基づき喫食判定等を行い、その判定結果を表す情報を情報機器３に送信し、情報機器３は受信した判定結果を表す情報に基づいてコンテンツ出力を行う。つまり、第２実施形態では、喫食判定等の判定処理も食事用具２側で行われる点で、第１実施形態と相違する。
【００７９】
第２実施形態は、第１実施形態とハードウェア構成は同一である。しかし、食事用具２が実行するデータ送信処理及び情報機器３が実行するコンテンツ出力処理が第１実施形態と相違する。
【００８０】
［２−２．処理］
［２−２−１．データ送信処理］
次に、第２実施形態の食事用具２の制御部２８が、第１実施形態のデータ送信処理（図５）に代えて実行するデータ送信処理について、図９のフローチャートを用いて説明する。なお、データ送信処理は、食事用具２の電源がオンである間において周期的に実行される。
【００８１】
図９のＳ３０１は、前述した図５のＳ１０１と同様の処理であるため、説明を省略する。
続いて、Ｓ３０２で、制御部２８は、Ｓ３０１で取得されたセンサ情報に基づき、ユーザが当該食事用具２を用いて喫食したか否かを判定し、判定結果を示すデータである喫食判定データを生成する。なお、ユーザが喫食したか否かの判定方法は、前述した図６のＳ２０２と同様であるため、説明を省略する。
【００８２】
続いて、Ｓ３０３で、制御部２８は、Ｓ３０１で取得されたセンサ情報に基づきユーザの食べ方を判定し、判定結果を示すデータである食べ方判定データを生成する。なお、ユーザの食べ方の判定方法は、前述した図６のＳ２０９と同様であるため、説明を省略する。
【００８３】
続いて、Ｓ３０４で、制御部２８は、Ｓ３０１で取得されたセンサ情報に基づきユーザの喫食の速さを判定し、判定結果を示すデータである速さ判定データを生成する。なお、ユーザの喫食の速さの判定方法は、前述した図６のＳ２１１と同様であるため、説明を省略する。
【００８４】
続いて、Ｓ３０５で、制御部２８は、Ｓ３０１で取得されたセンサ情報に基づきユーザの喫食が止まったか否かを判定し、判定結果を示すデータである停止判定データを生成する。なお、ユーザの喫食が止まったか否かの判定方法は、前述した図６のＳ２１３と同様であるため、説明を省略する。
【００８５】
続いて、Ｓ３０６で、制御部２８は、Ｓ３０１で取得されたセンサ情報に基づきユーザがまだ食事中であるか否かを判定し、判定結果を示すデータである食事中判定データを生成する。なお、ユーザがまだ食事中であるかの判定方法は、前述した図６のＳ２１４と同様であるため、説明を省略する。
【００８６】
続いて、Ｓ３０７で、制御部２８は、Ｓ３０２〜Ｓ３０６で生成された各種判定データを通信部２５を介して情報機器３に送信する。制御部２８は、Ｓ３０７を実行した後、図９のデータ送信処理を終了する。
【００８７】
［２−２−２．コンテンツ出力処理］
次に、第２実施形態の情報機器３の制御部３７が、第１実施形態のコンテンツ出力処理（図６）に代えて実行するコンテンツ出力処理について、図１０のフローチャートを用いて説明する。
【００８８】
まず、Ｓ４０１で、制御部３７は、通信部３６を介して食事用具２から各種判定データを受信することで当該各種判定データを取得する。
続いて、Ｓ４０２で、制御部３７は、Ｓ４０１で取得された各種判定データのうち、前述した図９のＳ３０２で生成された喫食判定データに基づき、ユーザが食事用具２を用いて喫食したか否かを判定する。ここで、制御部３７は、喫食判定データがユーザが食事用具２を用いて喫食したことを示す場合には、ユーザが食事用具２を用いて喫食したと判定する。一方、制御部３７は、喫食判定データがユーザが食事用具２を用いて喫食していないことを示す場合には、ユーザが食事用具２を用いて喫食していないと判定する。なお、後述するＳ４０９、Ｓ４１１、Ｓ４１３及びＳ４１４の判定処理も同様に受信した判定データが示す判定結果に従う形で制御部３７は各種判定を行う。
【００８９】
図１０のＳ４０３〜Ｓ４０８は、前述した図６のＳ２０３〜Ｓ２０８と同様の処理であるため、説明を省略する。
続いて、Ｓ４０９で、制御部３７は、Ｓ４０１で取得された各種判定データのうち、前述した図９のＳ３０３で生成された食べ方判定データに基づき、ユーザの食べ方を判定する。
【００９０】
図１０のＳ４１０は、前述した図６のＳ２１０と同様の処理であるため、説明を省略する。
続いて、Ｓ４１１で、制御部３７は、Ｓ４０１で取得された各種判定データのうち、前述した図９のＳ３０４で生成された速さ判定データに基づき、ユーザの喫食の速さを判定する。
【００９１】
図１０のＳ４１２は、前述した図６のＳ２１２と同様の処理であるため、説明を省略する。
続いて、Ｓ４１３で、制御部３７は、Ｓ４０１で取得された各種判定データのうち、前述した図９のＳ３０５で生成された停止判定データに基づき、ユーザの喫食が止まったか否かを判定する。
【００９２】
制御部３７は、Ｓ４１３でユーザの喫食が止まったと判定した場合（Ｓ４１３：ＹＥＳ）には、Ｓ４１４へ移行する。
Ｓ４１４で、制御部３７は、Ｓ４０１で取得された各種判定データのうち、前述した図９のＳ３０６で生成された食事中判定データに基づき、ユーザがまだ食事中であるか否かを判定する。
【００９３】
図１０のＳ４１５〜Ｓ４１７は、前述した図６のＳ２１５〜Ｓ２１７と同様の処理であるため、説明を省略する。
［２−３．効果］
以上詳述した第２実施形態によれば、前述した第１実施形態の効果（１）〜（７）と同様の効果が得られる。
【００９４】
なお、本実施形態では、Ｓ３０２が喫食判定部としての処理に相当し、Ｓ３０３が食べ方判定部としての処理に相当し、Ｓ３０４が速さ判定部としての処理に相当し、Ｓ３０５が停止判定部としての処理に相当し、Ｓ３０７が判定送信処理部としての処理に相当する。また、Ｓ４０１が判定取得処理部としての処理に相当し、Ｓ４０３、Ｓ４０６、Ｓ４０８、Ｓ４１０、Ｓ４１２、Ｓ４１５及びＳ４１６が出力処理部としての処理に相当し、Ｓ４０４が喫食カウント部としての処理に相当する。
【００９５】
［３．他の実施形態］
以上、本開示を実施するための形態について説明したが、本開示は前述の実施形態に限定されることなく、種々変形して実施することができる。
【００９６】
（１）上記各実施形態では、情報機器３がコンテンツを出力するが、コンテンツを出力する装置はこれに限られない。例えば、食事用具２にスピーカ等のコンテンツ出力部を設け、当該コンテンツ出力部を介してコンテンツ出力が行われてもよい。この構成では、上記第２実施形態のように食事用具２自身が喫食判定などの判定処理を行い、その判定結果に基づいてコンテンツ出力を行うことが考えられる。つまり、前述した図９のＳ３０１〜Ｓ３０６に加え、図１０のＳ４０２〜Ｓ４１７に相当する処理を食事用具２が行ってもよい。この場合、食事用具２において実行されるＳ４０３、Ｓ４０６、Ｓ４０８、Ｓ４１０、Ｓ４１２、Ｓ４１５及びＳ４１６に相当する処理が出力処理部としての処理に相当する。また、食事用具２において実行されるＳ４０４に相当する処理が喫食カウント部としての処理に相当し、食事用具２において実行されるＳ４０９に相当する処理が食べ方判定部としての処理に相当し、食事用具２において実行されるＳ４１１に相当する処理が速さ判定部としての処理に相当し、食事用具２において実行されるＳ４１３に相当する処理が停止判定部としての処理に相当する。なお、この場合において、食事用具２は情報機器３と通信を行わなくてもよい。また、食事用具２はサーバ４と直接通信を行ってもよい。
【００９７】
（２）上記各実施形態では、喫食判定は食事用具２又は情報機器３で行われるが、喫食判定を行う装置はこれに限られない。例えば、サーバ４が喫食判定を行ってもよい。そして、サーバ４から判定結果を示す情報又はコンテンツ出力を行わせる旨の情報等が食事用具２又は情報機器３に送信され、送信された情報に基づいて食事用具２又は情報機器３でコンテンツ出力が行われてもよい。
【００９８】
（３）上記実施形態では、食事用具２としてフォークを例示したが、食事用具はこれに限られない。食事用具は、例えば、スプーンであってもよい。食事用具がスプーンである場合、子供が食べた食物や食材の量を測定することができる。例えば、食事用具を使って１回喫食した場合に所定重量（例えば５グラム）食べたなど、１回の喫食当たりの食物や食材の重量をあらかじめ規定しておき、喫食回数と規定された前記重量とを乗じることで子供が食べた食物や食材の量が測定されてもよい。
【００９９】
（４）上記各実施形態において表示部３１及びスピーカ３３から出力されるコンテンツの内容はあくまで一例であり、他の内容のコンテンツが出力されてもよい。また、スピーカ３３でコンテンツ出力するところを、スピーカ３３に代えて又は加えて表示部３１でコンテンツ出力を行ってもよい。また逆も然りである。また、表示部３１及びスピーカ３３以外のコンテンツ出力部を介してコンテンツ出力が行われてもよい。このようなコンテンツ出力部としては例えば発光するＬＥＤなどの発光部等が挙げられる。
【０１００】
（５）上記実施形態では、食事用具２は、３軸方向の加速度を検出する加速度センサ２３を備えているが、食事用具が備えるセンサはこれに限られない。例えば、食事用具は、３軸加速度センサと３軸ジャイロセンサとを有する６軸センサ等を備えていてもよい。このような構成によれば、ジャイロセンサの測定結果を用いて所定軸方向に対する回転（捻れ）を検出することが可能になる。ひいては、食事用具がジャイロセンサを備えていない構成と比較して、ユーザが食事用具を用いて食物をどのように食べているかの食べ方の判定精度を向上させることができる。
【０１０１】
（６）上記実施形態では、タッチセンサとして、静電容量方式のタッチセンサ２４を例示したが、タッチセンサはこれに限られない。例えば、タッチセンサは、抵抗膜方式、表面弾性波方式（又は超音波方式）、赤外線方式、電磁誘導方式、荷重検出方式等のタッチセンサであってもよい。
【０１０２】
（７）上記実施形態において、情報機器３は、サーバ４に格納された情報以外にも、インターネット上の各種ウェブサイトの情報を参照してもよい。この場合において例えば、情報機器３は、ユーザの苦手な食材のレシピ情報等をインターネットを用いて検索し、検索して取得したレシピ情報等を表示部３１に表示するなどしてもよい。
【０１０３】
（８）上記実施形態では、食事用具２のユーザとして子供が想定されるが、食事用具のユーザは大人であってもよい。例えば、食事用具のユーザは、シニアやダイエッターなどであってもよい。
【０１０４】
（９）上記実施形態で、食事用具２の制御部２８や情報機器３の制御部３７が実行する機能の一部又は全部を、１つあるいは複数のＩＣ等によりハードウェア的に構成してもよい。
【０１０５】
（１０）前述した食育システム１の他、食事用具２の制御部２８や情報機器３の制御部３７、当該制御部２８，３７としてコンピュータを機能させるためのコンピュータプログラム、このプログラムを記憶した半導体メモリ等の非遷移的実体的記憶媒体、ユーザの喫食を判定する方法など、種々の形態で本開示を実現することもできる。
【０１０６】
（１１）上記各実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記各実施形態の構成の一部を省略してもよい。また、上記各実施形態の構成の少なくとも一部を、他の上記各実施形態の構成に対して付加又は置換してもよい。なお、特許請求の範囲に記載した文言によって特定される技術思想に含まれるあらゆる態様が本開示の実施形態である。
【符号の説明】
【０１０７】
１…食育システム、２…食事用具、３…情報機器、４…サーバ、２１…把持部、
２２…先端部、２３…加速度センサ、２４…タッチセンサ。
【図１】
2020137927.tif 000003
【図２】
2020137927.tif 000004
【図３】
2020137927.tif 000005
【図４】
2020137927.tif 000006
【図５】
2020137927.tif 000007
【図６】
2020137927.tif 000008
【図７】
2020137927.tif 000009
【図８】
2020137927.tif 000010
【図９】
2020137927.tif 000011
【図１０】
2020137927.tif 000012
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
棒状の把持部と、前記把持部の一端に配置された先端部と、を備える食事用具と、
前記食事用具の加速度を検出する加速度センサと、
前記先端部に対する接触を検出するタッチセンサと、
前記加速度センサの測定結果及び前記タッチセンサの測定結果に基づき、前記食事用具を用いてユーザが喫食したか否かを判定する喫食判定部であって、前記加速度センサの測定結果を基に、前記食事用具の状態が、鉛直方向の下方に加速度が作用している状態から鉛直方向の上方に加速度が作用している状態に切り替わり、かつ、当該切替りが検出されてから所定時間以内に前記タッチセンサにより前記食事用具の先端部に対する接触が検出されることを条件として、ユーザが前記食事用具を用いて喫食したと判定する喫食判定部と、
を備える喫食判定システム。
【請求項２】
請求項１に記載の喫食判定システムであって、
前記喫食判定部によりユーザが喫食したと判定された場合に、コンテンツを出力可能なコンテンツ出力部にコンテンツを出力させる出力処理部を更に備える喫食判定システム。
【請求項３】
棒状の把持部と、前記把持部の一端に配置された先端部と、を備える食事用具と、
前記食事用具の加速度を検出する加速度センサと、
前記先端部に対する接触を検出するタッチセンサと、
前記加速度センサの測定結果及び前記タッチセンサの測定結果に基づき、前記食事用具を用いてユーザが喫食したか否かを判定する喫食判定部と、
ユーザ情報を取得するユーザ情報取得部と、
ユーザがどの食物又は食材を食べたか又は食べなかったかを示す食事ログ情報を取得する食事ログ情報取得部と、
前記ユーザ情報及び前記食事ログ情報を所定のサーバに送信する送信処理部と、
前記サーバから他のユーザに係る前記食事ログ情報を受信し、受信した他のユーザに係る前記食事ログ情報を、コンテンツを出力可能なコンテンツ出力部に出力させる出力処理部と、
を備える喫食判定システム。
【請求項４】
請求項２又は請求項３に記載の喫食判定システムであって、
前記加速度センサの測定結果及び前記タッチセンサの測定結果に基づき、ユーザの喫食の速さを判定する速さ判定部を更に備え、
前記出力処理部は、前記速さ判定部により判定された喫食の速さに基づいて前記コンテンツ出力部にコンテンツを出力させる、喫食判定システム。
【請求項５】
棒状の把持部と、前記把持部の一端に配置された先端部と、を備える食事用具と、
前記食事用具の加速度を検出する加速度センサと、
前記先端部に対する接触を検出するタッチセンサと、
前記加速度センサの測定結果及び前記タッチセンサの測定結果に基づき、前記食事用具を用いてユーザが喫食したか否かを判定する喫食判定部と、
コンテンツを出力可能なコンテンツ出力部にコンテンツを出力させる出力処理部と、
前記加速度センサの測定結果及び前記タッチセンサの測定結果に基づき、ユーザの喫食の速さを判定する速さ判定部であって、ユーザが前記食事用具を使って食物を保持し、食物を口に入れるまでの１回の喫食の速さを判定する速さ判定部と、
を備え、
前記出力処理部は、前記速さ判定部によりユーザの喫食の速さが速いと判定された場合に、ユーザにゆっくり食べることを促すコンテンツを前記コンテンツ出力部に出力させる、喫食判定システム。
【請求項６】
請求項２から請求項５までのいずれか１項に記載の喫食判定システムであって、
前記出力処理部は、前記食事用具に設けられた前記コンテンツ出力部にコンテンツを出力させる、喫食判定システム。
【請求項７】
請求項２から請求項６までのいずれか１項に記載の喫食判定システムであって、
前記食事用具は、情報機器と通信するための通信部を更に備え、
前記出力処理部は、前記情報機器に設けられた前記コンテンツ出力部にコンテンツを出力させる、喫食判定システム。
【請求項８】
請求項２から請求項７までのいずれか１項に記載の喫食判定システムであって、
前記加速度センサの測定結果及び前記タッチセンサの測定結果に基づき、前記食事用具を用いたユーザの喫食回数をカウントする喫食カウント部を更に備え、
前記出力処理部は、前記喫食カウント部によりカウントされた前記喫食回数に基づいて前記コンテンツ出力部にコンテンツを出力させる、喫食判定システム。
【請求項９】
請求項２から請求項８までのいずれか１項に記載の喫食判定システムであって、
前記加速度センサの測定結果及び前記タッチセンサの測定結果に基づき、前記食事用具を用いたユーザの喫食が止まったか否かを判定する停止判定部を更に備え、
前記出力処理部は、前記停止判定部によりユーザの喫食が止まったと判定された場合に、前記コンテンツ出力部にコンテンツを出力させる、喫食判定システム。
【請求項１０】
請求項２から請求項９までのいずれか１項に記載の喫食判定システムであって、
前記加速度センサの測定結果に基づき、前記食事用具を用いたユーザの食べ方を判定する食べ方判定部を更に備え、
前記出力処理部は、前記食べ方判定部により判定されたユーザの食べ方に基づいて前記コンテンツ出力部にコンテンツを出力させる喫食判定システム。
【請求項１１】
通信機能を有する食事用具と通信を行う情報機器のためのコンピュータプログラムであって、
前記食事用具は、
棒状の把持部と、
前記把持部の一端に配置された先端部と、
当該食事用具の加速度を検出する加速度センサと、
前記先端部に対する接触を検出するタッチセンサと、
前記情報機器と通信可能な食事用具通信部と、
前記食事用具通信部を介して前記加速度センサの測定結果及び前記タッチセンサの測定結果を前記情報機器に送信する測定送信処理部と、
を備え、
前記情報機器は、前記食事用具と通信可能な機器通信部を備え、
前記情報機器のコンピュータを、
前記機器通信部を介して前記食事用具から受信した前記加速度センサの測定結果及び前記タッチセンサの測定結果を取得する測定取得処理部と、
前記測定取得処理部により取得された前記加速度センサの測定結果及び前記タッチセンサの測定結果に基づき、前記食事用具を用いてユーザが喫食したか否かを判定する喫食判定部であって、前記加速度センサの測定結果を基に、前記食事用具の状態が、鉛直方向の下方に加速度が作用している状態から鉛直方向の上方に加速度が作用している状態に切り替わり、かつ、当該切替りが検出されてから所定時間以内に前記タッチセンサにより前記食事用具の先端部に対する接触が検出されることを条件として、ユーザが前記食事用具を用いて喫食したと判定する喫食判定部と、
として機能させるコンピュータプログラム。
【請求項１２】
通信機能を有する食事用具と通信を行う情報機器のためのコンピュータプログラムであって、
前記食事用具は、
棒状の把持部と、
前記把持部の一端に配置された先端部と、
当該食事用具の加速度を検出する加速度センサと、
前記先端部に対する接触を検出するタッチセンサと、
前記情報機器と通信可能な食事用具通信部と、
前記食事用具通信部を介して前記加速度センサの測定結果及び前記タッチセンサの測定結果を前記情報機器に送信する測定送信処理部と、
を備え、
前記情報機器は、前記食事用具と通信可能な機器通信部を備え、
前記情報機器のコンピュータを、
前記機器通信部を介して前記食事用具から受信した前記加速度センサの測定結果及び前記タッチセンサの測定結果を取得する測定取得処理部と、
前記測定取得処理部により取得された前記加速度センサの測定結果及び前記タッチセンサの測定結果に基づき、前記食事用具を用いてユーザが喫食したか否かを判定する喫食判定部と、
ユーザ情報を取得するユーザ情報取得部と、
ユーザがどの食物又は食材を食べたか又は食べなかったかを示す食事ログ情報を取得する食事ログ情報取得部と、
前記ユーザ情報及び前記食事ログ情報を所定のサーバに送信する送信処理部と、
前記サーバから他のユーザに係る前記食事ログ情報を受信し、受信した他のユーザに係る前記食事ログ情報を、コンテンツを出力可能なコンテンツ出力部に出力させる出力処理部と、
として機能させるコンピュータプログラム。
【請求項１３】
通信機能を有する食事用具と通信を行う情報機器のためのコンピュータプログラムであって、
前記食事用具は、
棒状の把持部と、
前記把持部の一端に配置された先端部と、
当該食事用具の加速度を検出する加速度センサと、
前記先端部に対する接触を検出するタッチセンサと、
前記情報機器と通信可能な食事用具通信部と、
前記食事用具通信部を介して前記加速度センサの測定結果及び前記タッチセンサの測定結果を前記情報機器に送信する測定送信処理部と、
を備え、
前記情報機器は、前記食事用具と通信可能な機器通信部を備え、
前記情報機器のコンピュータを、
前記機器通信部を介して前記食事用具から受信した前記加速度センサの測定結果及び前記タッチセンサの測定結果を取得する測定取得処理部と、
前記測定取得処理部により取得された前記加速度センサの測定結果及び前記タッチセンサの測定結果に基づき、前記食事用具を用いてユーザが喫食したか否かを判定する喫食判定部と、
コンテンツを出力可能なコンテンツ出力部にコンテンツを出力させる出力処理部と、
前記加速度センサの測定結果及び前記タッチセンサの測定結果に基づき、ユーザの喫食の速さを判定する速さ判定部であって、ユーザが前記食事用具を使って食物を保持し、食物を口に入れるまでの１回の喫食の速さを判定する速さ判定部と、
として機能させ、
前記出力処理部は、前記速さ判定部によりユーザの喫食の速さが速いと判定された場合に、ユーザにゆっくり食べることを促すコンテンツを前記コンテンツ出力部に出力させる、コンピュータプログラム。
【請求項１４】
通信機能を有する食事用具と通信を行う情報機器のためのコンピュータプログラムであって、
前記食事用具は、
棒状の把持部と、
前記把持部の一端に配置された先端部と、
当該食事用具の加速度を検出する加速度センサと、
前記先端部に対する接触を検出するタッチセンサと、
前記加速度センサの測定結果及び前記タッチセンサの測定結果に基づき、前記食事用具を用いてユーザが喫食したか否かを判定する喫食判定部であって、前記加速度センサの測定結果を基に、前記食事用具の状態が、鉛直方向の下方に加速度が作用している状態から鉛直方向の上方に加速度が作用している状態に切り替わり、かつ、当該切替りが検出されてから所定時間以内に前記タッチセンサにより前記食事用具の先端部に対する接触が検出されることを条件として、ユーザが前記食事用具を用いて喫食したと判定する喫食判定部と、
前記情報機器と通信可能な食事用具通信部と、
前記食事用具通信部を介して前記喫食判定部による判定結果を前記情報機器に送信する判定送信処理部と、
を備え、
前記情報機器は、
前記食事用具と通信可能な機器通信部と、
コンテンツを出力可能なコンテンツ出力部と、
を備え、
前記情報機器のコンピュータを、
前記機器通信部を介して前記食事用具から受信した前記喫食判定部による判定結果を取得する判定取得処理部と、
前記判定取得処理部により取得された前記喫食判定部による判定結果に基づき、前記コンテンツ出力部にコンテンツを出力させる出力処理部と、
として機能させるコンピュータプログラム。
【請求項１５】
通信機能を有する食事用具と通信を行う情報機器のためのコンピュータプログラムであって、
前記食事用具は、
棒状の把持部と、
前記把持部の一端に配置された先端部と、
当該食事用具の加速度を検出する加速度センサと、
前記先端部に対する接触を検出するタッチセンサと、
前記加速度センサの測定結果及び前記タッチセンサの測定結果に基づき、前記食事用具を用いてユーザが喫食したか否かを判定する喫食判定部と、
前記情報機器と通信可能な食事用具通信部と、
前記食事用具通信部を介して前記喫食判定部による判定結果を前記情報機器に送信する判定送信処理部と、
を備え、
前記情報機器は、
前記食事用具と通信可能な機器通信部と、
コンテンツを出力可能なコンテンツ出力部と、
を備え、
前記情報機器のコンピュータを、
前記機器通信部を介して前記食事用具から受信した前記喫食判定部による判定結果を取得する判定取得処理部と、
ユーザ情報を取得するユーザ情報取得部と、
ユーザがどの食物又は食材を食べたか又は食べなかったかを示す食事ログ情報を取得する食事ログ情報取得部と、
前記ユーザ情報及び前記食事ログ情報を所定のサーバに送信する送信処理部と、
前記判定取得処理部により取得された前記喫食判定部による判定結果に基づき、前記コンテンツ出力部にコンテンツを出力させるとともに、前記サーバから他のユーザに係る前記食事ログ情報を受信し、受信した他のユーザに係る前記食事ログ情報を、前記コンテンツ出力部に出力させる出力処理部と、
として機能させるコンピュータプログラム。
【請求項１６】
通信機能を有する食事用具と通信を行う情報機器のためのコンピュータプログラムであって、
前記食事用具は、
棒状の把持部と、
前記把持部の一端に配置された先端部と、
当該食事用具の加速度を検出する加速度センサと、
前記先端部に対する接触を検出するタッチセンサと、
前記加速度センサの測定結果及び前記タッチセンサの測定結果に基づき、前記食事用具を用いてユーザが喫食したか否かを判定する喫食判定部と、
前記情報機器と通信可能な食事用具通信部と、
前記食事用具通信部を介して前記喫食判定部による判定結果を前記情報機器に送信する判定送信処理部と、
を備え、
前記情報機器は、
前記食事用具と通信可能な機器通信部と、
コンテンツを出力可能なコンテンツ出力部と、
を備え、
前記情報機器のコンピュータを、
前記機器通信部を介して前記食事用具から受信した前記喫食判定部による判定結果を取得する判定取得処理部と、
前記判定取得処理部により取得された前記喫食判定部による判定結果に基づき、前記コンテンツ出力部にコンテンツを出力させる出力処理部と、
前記加速度センサの測定結果及び前記タッチセンサの測定結果に基づき、ユーザの喫食の速さを判定する速さ判定部であって、ユーザが前記食事用具を使って食物を保持し、食物を口に入れるまでの１回の喫食の速さを判定する速さ判定部と、
として機能させ、
前記出力処理部は、前記速さ判定部によりユーザの喫食の速さが速いと判定された場合に、ユーザにゆっくり食べることを促すコンテンツを前記コンテンツ出力部に出力させる、コンピュータプログラム。
【請求項１７】
通信機能を有する食事用具と通信を行う情報機器であって、
前記食事用具は、
棒状の把持部と、
前記把持部の一端に配置された先端部と、
当該食事用具の加速度を検出する加速度センサと、
前記先端部に対する接触を検出するタッチセンサと、
前記情報機器と通信可能な食事用具通信部と、
前記食事用具通信部を介して前記加速度センサの測定結果及び前記タッチセンサの測定結果を前記情報機器に送信する測定送信処理部と、
を備え、
前記情報機器は、
前記食事用具と通信可能な機器通信部と、
前記機器通信部を介して受信した前記食事用具からの前記加速度センサの測定結果及び前記タッチセンサの測定結果を取得する測定取得処理部と、
前記測定取得処理部により取得された前記加速度センサの測定結果及び前記タッチセンサの測定結果に基づき、前記食事用具を用いてユーザが喫食したか否かを判定する喫食判定部であって、前記加速度センサの測定結果を基に、前記食事用具の状態が、鉛直方向の下方に加速度が作用している状態から鉛直方向の上方に加速度が作用している状態に切り替わり、かつ、当該切替りが検出されてから所定時間以内に前記タッチセンサにより前記食事用具の先端部に対する接触が検出されることを条件として、ユーザが前記食事用具を用いて喫食したと判定する喫食判定部と、
を備える情報機器。
【請求項１８】
通信機能を有する食事用具と通信を行う情報機器であって、
前記食事用具は、
棒状の把持部と、
前記把持部の一端に配置された先端部と、
当該食事用具の加速度を検出する加速度センサと、
前記先端部に対する接触を検出するタッチセンサと、
前記情報機器と通信可能な食事用具通信部と、
前記食事用具通信部を介して前記加速度センサの測定結果及び前記タッチセンサの測定結果を前記情報機器に送信する測定送信処理部と、
を備え、
前記情報機器は、
前記食事用具と通信可能な機器通信部と、
前記機器通信部を介して受信した前記食事用具からの前記加速度センサの測定結果及び前記タッチセンサの測定結果を取得する測定取得処理部と、
前記測定取得処理部により取得された前記加速度センサの測定結果及び前記タッチセンサの測定結果に基づき、前記食事用具を用いてユーザが喫食したか否かを判定する喫食判定部と、
ユーザ情報を取得するユーザ情報取得部と、
ユーザがどの食物又は食材を食べたか又は食べなかったかを示す食事ログ情報を取得する食事ログ情報取得部と、
前記ユーザ情報及び前記食事ログ情報を所定のサーバに送信する送信処理部と、
前記サーバから他のユーザに係る前記食事ログ情報を受信し、受信した他のユーザに係る前記食事ログ情報を、コンテンツを出力可能なコンテンツ出力部に出力させる出力処理部と、
を備える情報機器。
【請求項１９】
通信機能を有する食事用具と通信を行う情報機器であって、
前記食事用具は、
棒状の把持部と、
前記把持部の一端に配置された先端部と、
当該食事用具の加速度を検出する加速度センサと、
前記先端部に対する接触を検出するタッチセンサと、
前記情報機器と通信可能な食事用具通信部と、
前記食事用具通信部を介して前記加速度センサの測定結果及び前記タッチセンサの測定結果を前記情報機器に送信する測定送信処理部と、
を備え、
前記情報機器は、
前記食事用具と通信可能な機器通信部と、
前記機器通信部を介して受信した前記食事用具からの前記加速度センサの測定結果及び前記タッチセンサの測定結果を取得する測定取得処理部と、
前記測定取得処理部により取得された前記加速度センサの測定結果及び前記タッチセンサの測定結果に基づき、前記食事用具を用いてユーザが喫食したか否かを判定する喫食判定部と、
コンテンツを出力可能なコンテンツ出力部にコンテンツを出力させる出力処理部と、
前記加速度センサの測定結果及び前記タッチセンサの測定結果に基づき、ユーザの喫食の速さを判定する速さ判定部であって、ユーザが前記食事用具を使って食物を保持し、食物を口に入れるまでの１回の喫食の速さを判定する速さ判定部と、
を備え、
前記出力処理部は、前記速さ判定部によりユーザの喫食の速さが速いと判定された場合に、ユーザにゆっくり食べることを促すコンテンツを前記コンテンツ出力部に出力させる、情報機器。
【請求項２０】
通信機能を有する食事用具と通信を行う情報機器であって、
前記食事用具は、
棒状の把持部と、
前記把持部の一端に配置された先端部と、
当該食事用具の加速度を検出する加速度センサと、
前記先端部に対する接触を検出するタッチセンサと、
前記加速度センサの測定結果及び前記タッチセンサの測定結果に基づき、前記食事用具を用いてユーザが喫食したか否かを判定する喫食判定部であって、前記加速度センサの測定結果を基に、前記食事用具の状態が、鉛直方向の下方に加速度が作用している状態から鉛直方向の上方に加速度が作用している状態に切り替わり、かつ、当該切替りが検出されてから所定時間以内に前記タッチセンサにより前記食事用具の先端部に対する接触が検出されることを条件として、ユーザが前記食事用具を用いて喫食したと判定する喫食判定部と、
前記情報機器と通信可能な食事用具通信部と、
前記食事用具通信部を介して前記喫食判定部による判定結果を前記情報機器に送信する判定送信処理部と、
を備え、
前記情報機器は、
前記食事用具と通信可能な機器通信部と、
コンテンツを出力可能なコンテンツ出力部と、
前記機器通信部を介して前記食事用具から受信した前記喫食判定部による判定結果を取得する判定取得処理部と、
前記判定取得処理部により取得された前記喫食判定部による判定結果に基づき、前記コンテンツ出力部にコンテンツを出力させる出力処理部と、
を備える情報機器。
【請求項２１】
通信機能を有する食事用具と通信を行う情報機器であって、
前記食事用具は、
棒状の把持部と、
前記把持部の一端に配置された先端部と、
当該食事用具の加速度を検出する加速度センサと、
前記先端部に対する接触を検出するタッチセンサと、
前記加速度センサの測定結果及び前記タッチセンサの測定結果に基づき、前記食事用具を用いてユーザが喫食したか否かを判定する喫食判定部と、
前記情報機器と通信可能な食事用具通信部と、
前記食事用具通信部を介して前記喫食判定部による判定結果を前記情報機器に送信する判定送信処理部と、
を備え、
前記情報機器は、
前記食事用具と通信可能な機器通信部と、
コンテンツを出力可能なコンテンツ出力部と、
前記機器通信部を介して前記食事用具から受信した前記喫食判定部による判定結果を取得する判定取得処理部と、
ユーザ情報を取得するユーザ情報取得部と、
ユーザがどの食物又は食材を食べたか又は食べなかったかを示す食事ログ情報を取得する食事ログ情報取得部と、
前記ユーザ情報及び前記食事ログ情報を所定のサーバに送信する送信処理部と、
前記判定取得処理部により取得された前記喫食判定部による判定結果に基づき、前記コンテンツ出力部にコンテンツを出力させるとともに、前記サーバから他のユーザに係る前記食事ログ情報を受信し、受信した他のユーザに係る前記食事ログ情報を、前記コンテンツ出力部に出力させる出力処理部と、
を備える情報機器。
【請求項２２】
通信機能を有する食事用具と通信を行う情報機器であって、
前記食事用具は、
棒状の把持部と、
前記把持部の一端に配置された先端部と、
当該食事用具の加速度を検出する加速度センサと、
前記先端部に対する接触を検出するタッチセンサと、
前記加速度センサの測定結果及び前記タッチセンサの測定結果に基づき、前記食事用具を用いてユーザが喫食したか否かを判定する喫食判定部と、
前記情報機器と通信可能な食事用具通信部と、
前記食事用具通信部を介して前記喫食判定部による判定結果を前記情報機器に送信する判定送信処理部と、
を備え、
前記情報機器は、
前記食事用具と通信可能な機器通信部と、
コンテンツを出力可能なコンテンツ出力部と、
前記機器通信部を介して前記食事用具から受信した前記喫食判定部による判定結果を取得する判定取得処理部と、
前記判定取得処理部により取得された前記喫食判定部による判定結果に基づき、前記コンテンツ出力部にコンテンツを出力させる出力処理部と、
前記加速度センサの測定結果及び前記タッチセンサの測定結果に基づき、ユーザの喫食の速さを判定する速さ判定部であって、ユーザが前記食事用具を使って食物を保持し、食物を口に入れるまでの１回の喫食の速さを判定する速さ判定部と、
を備え、
前記出力処理部は、前記速さ判定部によりユーザの喫食の速さが速いと判定された場合に、ユーザにゆっくり食べることを促すコンテンツを前記コンテンツ出力部に出力させる、情報機器。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
棒状の把持部と、前記把持部の一端に配置された先端部と、を備える食事用具と、
前記食事用具の加速度を検出する加速度センサと、
前記先端部に対する接触を検出するタッチセンサと、
前記加速度センサの測定結果及び前記タッチセンサの測定結果に基づき、前記食事用具を用いてユーザが喫食したか否かを判定する喫食判定部であって、前記加速度センサの測定結果を基に、前記食事用具の状態が、鉛直方向の下方に加速度が作用している状態から鉛直方向の上方に加速度が作用している状態に切り替わり、かつ、当該切替りが検出されてから所定時間以内に前記タッチセンサにより前記食事用具の先端部に対する接触が検出されることを条件として、ユーザが前記食事用具を用いて喫食したと判定する喫食判定部と、
を備える喫食判定システム。
【請求項２】
請求項１に記載の喫食判定システムであって、
前記喫食判定部によりユーザが喫食したと判定された場合に、コンテンツを出力可能なコンテンツ出力部にコンテンツを出力させる出力処理部を更に備える喫食判定システム。
【請求項３】
棒状の把持部と、前記把持部の一端に配置された先端部と、を備える食事用具と、
前記食事用具の加速度を検出する加速度センサと、
前記先端部に対する接触を検出するタッチセンサと、
前記加速度センサの測定結果及び前記タッチセンサの測定結果に基づき、前記食事用具を用いてユーザが喫食したか否かを判定する喫食判定部と、
ユーザ情報を取得するユーザ情報取得部と、
ユーザがどの食物又は食材を食べたか又は食べなかったかを示す食事ログ情報を取得する食事ログ情報取得部と、
前記ユーザ情報及び前記食事ログ情報を所定のサーバに送信する送信処理部と、
前記サーバから他のユーザに係る前記食事ログ情報を受信し、受信した他のユーザに係る前記食事ログ情報を、コンテンツを出力可能なコンテンツ出力部に出力させる出力処理部と、
を備える喫食判定システム。
【請求項４】
請求項２又は請求項３に記載の喫食判定システムであって、
前記加速度センサの測定結果及び前記タッチセンサの測定結果に基づき、ユーザの喫食の速さを判定する速さ判定部を更に備え、
前記出力処理部は、前記速さ判定部により判定された喫食の速さに基づいて前記コンテンツ出力部にコンテンツを出力させる、喫食判定システム。
【請求項５】
請求項２から請求項４までのいずれか１項に記載の喫食判定システムであって、
前記出力処理部は、前記食事用具に設けられた前記コンテンツ出力部にコンテンツを出力させる、喫食判定システム。
【請求項６】
請求項２から請求項５までのいずれか１項に記載の喫食判定システムであって、
前記食事用具は、情報機器と通信するための通信部を更に備え、
前記出力処理部は、前記情報機器に設けられた前記コンテンツ出力部にコンテンツを出力させる、喫食判定システム。
【請求項７】
請求項２から請求項６までのいずれか１項に記載の喫食判定システムであって、
前記加速度センサの測定結果及び前記タッチセンサの測定結果に基づき、前記食事用具を用いたユーザの喫食回数をカウントする喫食カウント部を更に備え、
前記出力処理部は、前記喫食カウント部によりカウントされた前記喫食回数に基づいて前記コンテンツ出力部にコンテンツを出力させる、喫食判定システム。
【請求項８】
請求項２から請求項７までのいずれか１項に記載の喫食判定システムであって、
前記加速度センサの測定結果及び前記タッチセンサの測定結果に基づき、前記食事用具を用いたユーザの喫食が止まったか否かを判定する停止判定部を更に備え、
前記出力処理部は、前記停止判定部によりユーザの喫食が止まったと判定された場合に、前記コンテンツ出力部にコンテンツを出力させる、喫食判定システム。
【請求項９】
請求項２から請求項８までのいずれか１項に記載の喫食判定システムであって、
前記加速度センサの測定結果に基づき、前記食事用具を用いたユーザの食べ方を判定する食べ方判定部を更に備え、
前記出力処理部は、前記食べ方判定部により判定されたユーザの食べ方に基づいて前記コンテンツ出力部にコンテンツを出力させる喫食判定システム。
【請求項１０】
通信機能を有する食事用具と通信を行う情報機器のためのコンピュータプログラムであって、
前記食事用具は、
棒状の把持部と、
前記把持部の一端に配置された先端部と、
当該食事用具の加速度を検出する加速度センサと、
前記先端部に対する接触を検出するタッチセンサと、
前記情報機器と通信可能な食事用具通信部と、
前記食事用具通信部を介して前記加速度センサの測定結果及び前記タッチセンサの測定結果を前記情報機器に送信する測定送信処理部と、
を備え、
前記情報機器は、前記食事用具と通信可能な機器通信部を備え、
前記情報機器のコンピュータを、
前記機器通信部を介して前記食事用具から受信した前記加速度センサの測定結果及び前記タッチセンサの測定結果を取得する測定取得処理部と、
前記測定取得処理部により取得された前記加速度センサの測定結果及び前記タッチセンサの測定結果に基づき、前記食事用具を用いてユーザが喫食したか否かを判定する喫食判定部であって、前記加速度センサの測定結果を基に、前記食事用具の状態が、鉛直方向の下方に加速度が作用している状態から鉛直方向の上方に加速度が作用している状態に切り替わり、かつ、当該切替りが検出されてから所定時間以内に前記タッチセンサにより前記食事用具の先端部に対する接触が検出されることを条件として、ユーザが前記食事用具を用いて喫食したと判定する喫食判定部と、
として機能させるコンピュータプログラム。
【請求項１１】
通信機能を有する食事用具と通信を行う情報機器のためのコンピュータプログラムであって、
前記食事用具は、
棒状の把持部と、
前記把持部の一端に配置された先端部と、
当該食事用具の加速度を検出する加速度センサと、
前記先端部に対する接触を検出するタッチセンサと、
前記情報機器と通信可能な食事用具通信部と、
前記食事用具通信部を介して前記加速度センサの測定結果及び前記タッチセンサの測定結果を前記情報機器に送信する測定送信処理部と、
を備え、
前記情報機器は、前記食事用具と通信可能な機器通信部を備え、
前記情報機器のコンピュータを、
前記機器通信部を介して前記食事用具から受信した前記加速度センサの測定結果及び前記タッチセンサの測定結果を取得する測定取得処理部と、
前記測定取得処理部により取得された前記加速度センサの測定結果及び前記タッチセンサの測定結果に基づき、前記食事用具を用いてユーザが喫食したか否かを判定する喫食判定部と、
ユーザ情報を取得するユーザ情報取得部と、
ユーザがどの食物又は食材を食べたか又は食べなかったかを示す食事ログ情報を取得する食事ログ情報取得部と、
前記ユーザ情報及び前記食事ログ情報を所定のサーバに送信する送信処理部と、
前記サーバから他のユーザに係る前記食事ログ情報を受信し、受信した他のユーザに係る前記食事ログ情報を、コンテンツを出力可能なコンテンツ出力部に出力させる出力処理部と、
として機能させるコンピュータプログラム。
【請求項１２】
通信機能を有する食事用具と通信を行う情報機器のためのコンピュータプログラムであって、
前記食事用具は、
棒状の把持部と、
前記把持部の一端に配置された先端部と、
当該食事用具の加速度を検出する加速度センサと、
前記先端部に対する接触を検出するタッチセンサと、
前記加速度センサの測定結果及び前記タッチセンサの測定結果に基づき、前記食事用具を用いてユーザが喫食したか否かを判定する喫食判定部であって、前記加速度センサの測定結果を基に、前記食事用具の状態が、鉛直方向の下方に加速度が作用している状態から鉛直方向の上方に加速度が作用している状態に切り替わり、かつ、当該切替りが検出されてから所定時間以内に前記タッチセンサにより前記食事用具の先端部に対する接触が検出されることを条件として、ユーザが前記食事用具を用いて喫食したと判定する喫食判定部と、
前記情報機器と通信可能な食事用具通信部と、
前記食事用具通信部を介して前記喫食判定部による判定結果を前記情報機器に送信する判定送信処理部と、
を備え、
前記情報機器は、
前記食事用具と通信可能な機器通信部と、
コンテンツを出力可能なコンテンツ出力部と、
を備え、
前記情報機器のコンピュータを、
前記機器通信部を介して前記食事用具から受信した前記喫食判定部による判定結果を取得する判定取得処理部と、
前記判定取得処理部により取得された前記喫食判定部による判定結果に基づき、前記コンテンツ出力部にコンテンツを出力させる出力処理部と、
として機能させるコンピュータプログラム。
【請求項１３】
通信機能を有する食事用具と通信を行う情報機器のためのコンピュータプログラムであって、
前記食事用具は、
棒状の把持部と、
前記把持部の一端に配置された先端部と、
当該食事用具の加速度を検出する加速度センサと、
前記先端部に対する接触を検出するタッチセンサと、
前記加速度センサの測定結果及び前記タッチセンサの測定結果に基づき、前記食事用具を用いてユーザが喫食したか否かを判定する喫食判定部と、
前記情報機器と通信可能な食事用具通信部と、
前記食事用具通信部を介して前記喫食判定部による判定結果を前記情報機器に送信する判定送信処理部と、
を備え、
前記情報機器は、
前記食事用具と通信可能な機器通信部と、
コンテンツを出力可能なコンテンツ出力部と、
を備え、
前記情報機器のコンピュータを、
前記機器通信部を介して前記食事用具から受信した前記喫食判定部による判定結果を取得する判定取得処理部と、
ユーザ情報を取得するユーザ情報取得部と、
ユーザがどの食物又は食材を食べたか又は食べなかったかを示す食事ログ情報を取得する食事ログ情報取得部と、
前記ユーザ情報及び前記食事ログ情報を所定のサーバに送信する送信処理部と、
前記判定取得処理部により取得された前記喫食判定部による判定結果に基づき、前記コンテンツ出力部にコンテンツを出力させるとともに、前記サーバから他のユーザに係る前記食事ログ情報を受信し、受信した他のユーザに係る前記食事ログ情報を、前記コンテンツ出力部に出力させる出力処理部と、
として機能させるコンピュータプログラム。
【請求項１４】
通信機能を有する食事用具と通信を行う情報機器であって、
前記食事用具は、
棒状の把持部と、
前記把持部の一端に配置された先端部と、
当該食事用具の加速度を検出する加速度センサと、
前記先端部に対する接触を検出するタッチセンサと、
前記情報機器と通信可能な食事用具通信部と、
前記食事用具通信部を介して前記加速度センサの測定結果及び前記タッチセンサの測定結果を前記情報機器に送信する測定送信処理部と、
を備え、
前記情報機器は、
前記食事用具と通信可能な機器通信部と、
前記機器通信部を介して受信した前記食事用具からの前記加速度センサの測定結果及び前記タッチセンサの測定結果を取得する測定取得処理部と、
前記測定取得処理部により取得された前記加速度センサの測定結果及び前記タッチセンサの測定結果に基づき、前記食事用具を用いてユーザが喫食したか否かを判定する喫食判定部であって、前記加速度センサの測定結果を基に、前記食事用具の状態が、鉛直方向の下方に加速度が作用している状態から鉛直方向の上方に加速度が作用している状態に切り替わり、かつ、当該切替りが検出されてから所定時間以内に前記タッチセンサにより前記食事用具の先端部に対する接触が検出されることを条件として、ユーザが前記食事用具を用いて喫食したと判定する喫食判定部と、
を備える情報機器。
【請求項１５】
通信機能を有する食事用具と通信を行う情報機器であって、
前記食事用具は、
棒状の把持部と、
前記把持部の一端に配置された先端部と、
当該食事用具の加速度を検出する加速度センサと、
前記先端部に対する接触を検出するタッチセンサと、
前記情報機器と通信可能な食事用具通信部と、
前記食事用具通信部を介して前記加速度センサの測定結果及び前記タッチセンサの測定結果を前記情報機器に送信する測定送信処理部と、
を備え、
前記情報機器は、
前記食事用具と通信可能な機器通信部と、
前記機器通信部を介して受信した前記食事用具からの前記加速度センサの測定結果及び前記タッチセンサの測定結果を取得する測定取得処理部と、
前記測定取得処理部により取得された前記加速度センサの測定結果及び前記タッチセンサの測定結果に基づき、前記食事用具を用いてユーザが喫食したか否かを判定する喫食判定部と、
ユーザ情報を取得するユーザ情報取得部と、
ユーザがどの食物又は食材を食べたか又は食べなかったかを示す食事ログ情報を取得する食事ログ情報取得部と、
前記ユーザ情報及び前記食事ログ情報を所定のサーバに送信する送信処理部と、
前記サーバから他のユーザに係る前記食事ログ情報を受信し、受信した他のユーザに係る前記食事ログ情報を、コンテンツを出力可能なコンテンツ出力部に出力させる出力処理部と、
を備える情報機器。
【請求項１６】
通信機能を有する食事用具と通信を行う情報機器であって、
前記食事用具は、
棒状の把持部と、
前記把持部の一端に配置された先端部と、
当該食事用具の加速度を検出する加速度センサと、
前記先端部に対する接触を検出するタッチセンサと、
前記加速度センサの測定結果及び前記タッチセンサの測定結果に基づき、前記食事用具を用いてユーザが喫食したか否かを判定する喫食判定部であって、前記加速度センサの測定結果を基に、前記食事用具の状態が、鉛直方向の下方に加速度が作用している状態から鉛直方向の上方に加速度が作用している状態に切り替わり、かつ、当該切替りが検出されてから所定時間以内に前記タッチセンサにより前記食事用具の先端部に対する接触が検出されることを条件として、ユーザが前記食事用具を用いて喫食したと判定する喫食判定部と、
前記情報機器と通信可能な食事用具通信部と、
前記食事用具通信部を介して前記喫食判定部による判定結果を前記情報機器に送信する判定送信処理部と、
を備え、
前記情報機器は、
前記食事用具と通信可能な機器通信部と、
コンテンツを出力可能なコンテンツ出力部と、
前記機器通信部を介して前記食事用具から受信した前記喫食判定部による判定結果を取得する判定取得処理部と、
前記判定取得処理部により取得された前記喫食判定部による判定結果に基づき、前記コンテンツ出力部にコンテンツを出力させる出力処理部と、
を備える情報機器。
【請求項１７】
通信機能を有する食事用具と通信を行う情報機器であって、
前記食事用具は、
棒状の把持部と、
前記把持部の一端に配置された先端部と、
当該食事用具の加速度を検出する加速度センサと、
前記先端部に対する接触を検出するタッチセンサと、
前記加速度センサの測定結果及び前記タッチセンサの測定結果に基づき、前記食事用具を用いてユーザが喫食したか否かを判定する喫食判定部と、
前記情報機器と通信可能な食事用具通信部と、
前記食事用具通信部を介して前記喫食判定部による判定結果を前記情報機器に送信する判定送信処理部と、
を備え、
前記情報機器は、
前記食事用具と通信可能な機器通信部と、
コンテンツを出力可能なコンテンツ出力部と、
前記機器通信部を介して前記食事用具から受信した前記喫食判定部による判定結果を取得する判定取得処理部と、
ユーザ情報を取得するユーザ情報取得部と、
ユーザがどの食物又は食材を食べたか又は食べなかったかを示す食事ログ情報を取得する食事ログ情報取得部と、
前記ユーザ情報及び前記食事ログ情報を所定のサーバに送信する送信処理部と、
前記判定取得処理部により取得された前記喫食判定部による判定結果に基づき、前記コンテンツ出力部にコンテンツを出力させるとともに、前記サーバから他のユーザに係る前記食事ログ情報を受信し、受信した他のユーザに係る前記食事ログ情報を、前記コンテンツ出力部に出力させる出力処理部と、
を備える情報機器。